(57)【要約】【課題】  負圧を形成した後に、エアカーテンを形成することにより、空間内の汚染空気を適切に排気することができる排気送風システムを提供する。【解決手段】  排気空間の気体を吸引する吸引口を有する排気装置と、前記排気空間とその外側の外部空間との間の気体の移動を抑制する遮断流を形成する気体が吐出される吐出口を有する送風装置と、を備えた排気送風システムであって、前記排気送風システムの運転の開始の指示を受けたときに、前記排気装置の運転が開始し、その後に前記送風装置の運転が開始することを特徴とする排気送風システムが提供される。【選択図】  図３
2010190458.tif 000002
【特許請求の範囲】
【請求項１】
排気空間の気体を吸引する吸引口を有する排気装置と、
前記排気空間とその外側の外部空間との間の気体の移動を抑制する遮断流を形成する気体が吐出される吐出口を有する送風装置と、
を備えた排気送風システムであって、
前記排気送風システムの運転の開始の指示を受けたときに、前記排気装置の運転が開始し、その後に前記送風装置の運転が開始することを特徴とする排気送風システム。
【請求項２】
前記排気装置の運転が開始し、予め設定された所定時間が経過した後に前記送風装置の運転が開始することを特徴とする請求項１記載の排気送風システム。
【請求項３】
前記送風装置は、放電極と、対向極と、を有し、前記放電極と、前記対向極と、の間に電位差を設けることでイオン風を形成する送風装置であることを特徴とする請求項１または２に記載の排気送風システム。
【発明の詳細な説明】
【技術分野】
【０００１】
本発明は、排気送風システムに関し、より詳細にはエアカーテンを形成させることができる排気送風システムに関する。
【背景技術】
【０００２】
臭気などを吸引捕集し、外部へ排気する排気装置がある。例えば、キッチンに設置されたレンジ等の調理器具の上方に排気装置を設置し、調理器具から立ちのぼる油煙や臭気などを吸引捕集することが行われている。一方、最近では、調理器具が壁に沿って設置される従来型キッチンだけでなく、調理器具が壁から離れたところに設置される、いわゆる、アイランド型キッチンやペニンシュラ型キッチンが普及し始めている。
【０００３】
従来型のキッチンでは、排気装置や調理器具の周りには壁があるため、油煙や臭気などが拡散しにくく、油煙や臭気などを比較的簡単に捕集することができた。しかし、アイランド型キッチンやペニンシュラ型キッチンでは、その周囲が開放しているため、油煙や臭気などが拡散しやすく、油煙や臭気などを捕集しにくい。そのため、アイランド型キッチンやペニンシュラ型キッチンでは、従来よりも高い捕集性能を有する排気装置が要求される。また、従来型のキッチンでも、外乱風（横風）などがある場合には、油煙や臭気などが拡散しやすく、油煙や臭気などを捕集しにくくなる場合もある。
【０００４】
そこで、気体流を吹き出し、これによって形成されるエアカーテンにより、調理器具などから立ち上る油煙や臭気などの拡散を遮断しつつ、その油煙や臭気などを捕集および排気させる装置が提案されている（例えば、特許文献１、特許文献２、及び特許文献３）。
【０００５】
エアカーテンには、特許文献２で開示されているように、イオン風が用いられることもある。イオン風は、放電極と対向極との間に電圧を印加してコロナ放電を発生させることにより生成させる。コロナ放電により、空間内の分子がイオン化し、イオン化した分子は対向極に向かって流れるが、一部の分子は室内に放出される。この分子の流れにより、イオン風が形成される。
【先行技術文献】
【特許文献】
【０００６】
【特許文献１】特開２００３−２０７１８７
【特許文献２】特開２００２−９５９９８
【特許文献３】特開２００８−７００４９
【発明の概要】
【発明が解決しようとする課題】
【０００７】
しかしながら、特許文献１に記載されたエアカーテン装置や特許文献２に記載された局所清浄化システムは、排気装置で形成される吸引流の風速が遅いため、気体を排気するための負圧を形成するまでに時間がかかり、負圧形成前に、送風装置によるエアカーテンを形成しても、汚染空気を拡散させてしまうという問題があった。
【０００８】
本発明は、かかる課題の認識に基づいてなされたものであり、負圧を形成した後に、エアカーテンを形成することにより、空間内の汚染空気を適切に排気することができる排気送風システムを提供することを目的とする。
【課題を解決するための手段】
【０００９】
上記課題を解決するために本発明に係る排気送風システムは、本発明の一態様によれば、排気空間の気体を吸引する吸引口を有する排気装置と、前記排気空間とその外側の外部空間との間の気体の移動を抑制する遮断流を形成する気体が吐出される吐出口を有する送風装置と、を備えた排気送風システムであって、前記排気送風システムの運転の開始の指示を受けたときに、前記排気装置の運転が開始し、その後に前記送風装置の運転が開始することを特徴とする。
【発明の効果】
【００１０】
本発明によれば、空間内の汚染空気を適切に排気することができる排気送風システムが提供される。
【図面の簡単な説明】
【００１１】
【図１】本発明の実施形態に係る排気送風システム１を例示する模式断面図である。
【図２】排気送風システムを例示する模式底面図である。
【図３】排気送風システムの運転態様を例示する流れ図である。
【図４】排気送風システムを例示する斜め上方から見た模式斜視図である。
【図５】排気送風システムを例示する斜め下方から見た模式斜視図である。
【図６】排気送風システムの他の構成を例示する模式図である。
【図７】イオン風を用いた送風装置を例示する模式斜視図である。
【図８】イオン風を用いた送風装置を例示する模式斜視図である。
【図９】本実施形態と対比される比較例に係る排気送風システムの模式断面図である。
【図１０】本実施形態に係る排気送風システムの模式断面図である。
【図１１】本実施形態の他の構成を例示する流れ図である。
【図１２】本実施形態のさらに別の構成を例示する流れ図である。
【図１３】オゾンセンサの付設態様を例示する模式側面図である。
【図１４】本実施形態のさらに別の構成を例示する模式断面図である。
【発明を実施するための形態】
【００１２】
以下、本発明の実施形態について図面を参照しつつ説明する。なお、各図面中、同様の構成要素には同一の符号を付して詳細な説明は適宜省略する。
図１は、本発明の実施形態に係る排気送風システム１を例示する模式断面図である。
図２は、排気送風システム１を例示する模式底面図である。
図３は、排気送風システム１の運転態様を例示する流れ図である。
【００１３】
本実施形態に係る排気送風システム１は、例えば加熱調理器などの調理器具７０の上方に設置され、排気空間５０の気体を吸引して吸引流Ｄを形成する吸引口２０を有する排気装置２と、排気装置２の排気空間５０と外部空間５２との間の気体の移動を抑制する遮断流Ｂを形成する気体が吐出される吐出口３０を有する送風装置３と、を備える。なお、吐出口３０から吐出される気体を「吐出流６０」と呼ぶこととする。
【００１４】
そして、図３に表したように、排気送風システム１は、排気送風システム１の運転の開始の指示を受けたときに、排気装置２の運転が開始し、その後一定時間経過した後に送風装置３の運転が開始する。これにより、後述するように、空間内の汚染空気が適切に排気される。
【００１５】
次に、排気送風システム１の構造について、図１、図２、図４〜図８を参照しつつ詳細に説明する。  
図４は、排気送風システム１を例示する斜め上方から見た模式斜視図である。
図５は、排気送風システム１を例示する斜め下方から見た模式斜視図である。
図６は、排気送風システム１の他の構成を例示する模式図である。図６（ａ）は模式側面図であり、図６（ｂ）は模式平面図である。
【００１６】
以下、排気装置２と送風装置３とが一体化した構造を有する排気送風システム１について説明するが、排気装置２及び送風装置３は図６に関して後述するように別体であってもよい。
【００１７】
図１、図２、図４、及び図５に表したように、一体型の排気送風システム１は、ケーシング１２を備えている。ケーシング１２は、略矩形状のケーシング下部１２ａと、ケーシング下部１２ａから上方に狭まるように延在するケーシング中間部１２ｂと、ケーシング中間部１２ｂの上方に配置されたケーシング上部１２ｃと、を有している。
【００１８】
まず、排気装置２（より詳細には、排気装置２に相当する部分）について説明する。排気装置２は、排気送風システム１の中央側に、ケーシング下部１２ａからケーシング上部１２ｃにかけて設けられている。排気装置２は、吸引口２０と、吸引流路２２と、排気ファン２６と、排気口２４と、を有する。
【００１９】
排気送風システム１の下方には、例えば調理器具７０（加熱装置）が設けられ、調理器具７０上には鍋７２などが載置される。吸引口２０は、ケーシング下部１２ａの下端部に、加熱装置７０に対向するように設けられ、上昇してくる気体、例えば鍋７２などから発生した油煙や水蒸気など（以下、「油煙等」という）を、吸引し吸引流Ｄを形成する。吸引流路２２は、ケーシング下部１２ａ、ケーシング中間部１２ｂ、及びケーシング上部１２ｃの内部に設けられ、矢印Ｅで示したように吸引口２０から吸引された気体を排気ファン２６へと導いている。排気ファン２６はケーシング上部１２ｃの内部に設けられ、排気口２４は排気ファン２６の上方部に設けられている。排気ファン２６は、吸引された気体を、矢印Ｆで示したように排気口２４から外部に排出している。
【００２０】
なお、図１などに表したように、吸引口２０には、整流板４８を設けてもよい。整流板４８は、吸引口２０の面積よりも小さい面積を有する略矩形状をしており、吸引口２０の略中央部に設けられている。これにより、排気空間５０の気体は整流板４８と吸引流路２２の側面２２ａとの間の狭い隙間２２ｂから吸引されて吸引流Ｄが形成される。隙間２２ｂの面積は、吸引口２０の面積よりも十分に狭いため、鍋などから発生した油煙等を含む吸引流Ｄは、より速い流速で隙間２２ｂに流入する。このため、捕集性能を向上させることができる。
【００２１】
また、吸引流Ｄの多くはまず整流板４８に当たるため、鍋などから発生した油などは整流板４８に付着することが多い。そのため、整流板４８を清掃すれば足りることが多く、排気送風システム１の清掃の容易性を向上させる効果も得られる。
【００２２】
また、ケーシング１２はケーシング中間部１２ｂを有しているが、これだけに限定されず、ケーシング中間部１２ｂを有していなくともよい。この場合には、ケーシング下部１２ａとケーシング上部１２ｃとが連結される。この場合、送風装置３は、図６に表したように例えば天井などに設けることができる。
【００２３】
次に、送風装置３（より詳細には、送風装置３に相当する部分）について説明する。送風装置３は、排気装置２の周辺の任意の場所に設けることができ、例えば図１などに表したように、排気装置２の外周に、ケーシング下部１２ａからケーシング中間部１２ｂにかけて設けることができる。
【００２４】
送風装置３は、吸気口３４と、吐出ファン３６と、吐出流路３８と、吐出口３０と、を有する。吐出ファン３６としては、例えばクロスフローファンを用いることができる。吸気口３４は、吐出ファン３６の上方部に設けられている。ケーシング中間部１２ｂの上方部にある気体は、この吸気口３４を通過して、吐出ファン３６に取り入れられる。この気体は、吐出ファン３６によって矢印Ａに表したように吐出流路３８の方向に吹き出され、その後吐出口３０から吐出され、吐出流６０となる。吐出流６０により、除去したい油煙等が多く存在する排気空間５０とその外部に存在する外部空間５２とが区分され、両者間の気体の移動が抑制される。すなわち、吐出流６０は、これら空間の間の気体の移動を抑制する遮断流Ｂ（エアカーテン）を形成する。これにより、外乱流Ｗ、すなわち外部空間５２に存在する空調等の気流、の排気空間５０への流入が抑制される。また、油煙等の外部空間５２への流出が抑制される。この結果、油煙等は良好に吸引口２０に導かれ、適切に排気される。
【００２５】
なお、吐出流路３８の形状を適宜選択することにより、遮断流６０の流量、流速、及び方向を調節することができる。例えば、吐出流路３８の断面積を大きくすることにより流量を大きくすることができ、また吐出流路３８が吐出口３０に向かって狭まる形態（いわゆるテーパ形状）にすることにより流速を高めることができる。これらの措置により、より強固なエアカーテンを形成することができる。吐出流６０の速度としては、例えば、吐出口３０近傍で１．５〜５ｍ／秒、調理器具７０の上面の位置で風速の鉛直下向き成分が０．４ｍ／秒以上とすることができる。
【００２６】
吐出口３０は、吸引口２０の外周の少なくとも一部に設けられる。例えば、図２に表したように、調理者が立つ側（前方）の左右側方及び背面側（後方）に設けられ、それぞれ略矩形の形状を有することができる。あるいは、図示しないが、これら３方向に亘って連続した略「コ（Ｃ）」の字形状を有する構成にしてもよい。吐出口３０は、図１に表したようにケーシング下部１２ａの下面に設けることができる。また、吐出口３０は、吐出流６０が吸引流Ｄと干渉しない程度に、排気口２０から離れた位置に設けることができる。このため、吐出口３０は、例えばケーシング下部１２ａの外周面１２ｄなどに設けてもよい。また、かかる干渉を抑制するためには、吐出流６０が吐出口３０の外側斜め下方に吐出されるようにしてもよい。
【００２７】
吐出ファン３６は、前述した３方向に対応して計３台設けられる。また、吐出ファン３６の数を減らして、例えば、一台の吐出ファンとして、風路を分岐させて、吐出流６０を前述した３方向の吐出口３０から吐出するようにしてもよい。このようにすることで、部品点数を減少させることができる。
【００２８】
送風装置３は、図２に表したように、前方側（調理者が立つ側）には設けられない構成にすることができる。これにより、吐出口３０から吐出された吐出流６０が調理者に直接当たることがなく、調理者に不快感を与えるおそれがない。あるいは、使用目的や使用形態などに応じて、前方側にも送風装置３が設けられる構成にしてもよい。
【００２９】
吐出流６０は、遮断流Ｂを形成することに加え、排気空間５０の気体、特に調理器具７０の近傍の気体を吸引口２０の方向に誘導する誘導流Ｃを形成してもよい。
【００３０】
また、図示しないが、後方及び左右側方の少なくとも１つに壁が設けられ、それ以外の少なくとも１つに送風装置３が設けられる構成にしてもよい。
【００３１】
また、図６に表したように、本実施形態に係る排気送風システム１は、排気装置２と送風装置３とが別体となるような構成にしてもよい。この場合、送風装置３は、排気装置２の周辺（例えば、天井）に設けられる。「排気装置２の周辺」とは、例えば排気装置２から１ｍ程度以内の場所とすることができ、あるいはそれよりも遠い場所であってもよい。この場合も、吐出口３０からの吐出流６０は遮断流Ｂを形成し、必要に応じ誘導流Ｃをも形成する。送風装置３を排気装置２から近い場所に設けることにより、誘導流Ｃの形成が容易となる。
【００３２】
送風装置３には、イオン風を用いることもできる。イオン風型の送風装置は、次に詳細に説明するように、放電極と対向極とを有し、放電極と対向極との間に電位差を設けることでイオン風を形成する送風装置である。
【００３３】
図７及び図８は、イオン風を用いた送風装置３を例示する模式斜視図である。
図７に示すように、この送風装置３は、放電極２０２と、一対の対向極２０３、２０３と、を有する。放電極２０２及び対向極２０３は、金属製の板状部材とすることができる。放電極２０２は、対向極２０３、２０３方向に突出した突起部２０２ｐを有する。放電極２０２は、対向極２０３、２０３の間の中間位置の上方に設けられ、放電極２０２の突起部２０２ｐは、対向極２０３、２０３の間の中間位置に向けて突出している。
【００３４】
放電極２０２には直流電源２１０が接続され、マイナスの電圧が印加されている。そして、直流電源２１０のプラス側と対向極２０３、２０３とは接地されている。尚、直流電源２１０のプラス側が放電極２０２と接続され、直流電源２１０のマイナス側と対向極２０３、２０３とが接地されるようにすることもできる。また、放電極２０２と、対向極２０３、２０３との間に電位差が存在すればよいので、放電極２０２側が接地される構成にしてもよく、あるいは、放電極２０２及び対向極２０３のいずれの側も接地されない構成にしてもよい。
【００３５】
直流電源２１０により放電極２０２に、例えば−２０ｋＶ程度の電圧が印加されると、放電極２０２と対向極２０３、２０３との間に電位差が生じ、突起部２０２ｐの先端部付近の電界強度が局部的に高くなりコロナ放電が発生する。印加電圧は、使用状況に応じて任意の値にすることができ、例えば１０ｋＶ〜２０ｋＶ程度にすることができる。そして、このコロナ放電により生成された電子は放電極２０２と対向極２０３、２０３との間に形成された電界により図中下方に向けて引き出される。
【００３６】
図７に示すように、引き出された電子が、気体分子（例えば、水蒸気（Ｈ２Ｏ）や酸素（Ｏ２）など）に付着すると、気体分子はマイナス電荷を帯びるイオンとなる。イオンの一部は対向極２０３、２０３に引き込まれるが、対向極２０３、２０３の対向方向の中心付近は左右の対向極２０３、２０３からの電位が等電位となるので、残りのイオンは中央部付近を通り抜けるようにして図中下方の空間に向けて放出されることになる。このように、前述した電界の作用により、イオンの一部は、図中下方の空間に向けて放出されることになる。その結果、下方への気体分子の流れ、すなわち、イオン風と呼ばれる気体の流れが生じることになり、これにより吐出流６０が形成される。
【００３７】
イオン風型の送風装置３では、印加電圧を変えることにより風量や風速を調節することができる。また、放電極２０２及び対向極２０３の配置を換えることにより、風向を調節することができる。
また、図８に表したように、イオン風型の送風装置３は並列した構成にすることができる。並列化に際しては、図８（ａ）に表したように隣接する単位送風装置３Ａ、３Ｂの間で対向極２０３が共有される構成にすることができ、あるいは図８（ｂ）に表したように共有されない構成にすることができる。並列化により、より厚みのあるイオン風を発生させることができる。
イオン風型の送風装置３の場合、イオン風が乱れの少ない気流であるため、鍋７２などから発生する油煙等を乱すことなく、または、拡散することなく、適切に排気することができる。
【００３８】
（本実施形態の効果）
次に、本実施形態の効果について、図３、図９、図１０を参照しつつ説明する。
図９は、本実施形態と対比される比較例に係る排気送風システムの模式断面図である。図１０は、本実施形態に係る排気送風システムの模式断面図である。
【００３９】
図９に表したように、吸引流Ｄの風速は遅いため、排気装置２を運転開始した直後では、排気装置２の直下に負圧を形成することができない。吸引流Ｄの風速が遅い理由は、吸引側の場合、多方向から、かつ、広い面積で吸引するためである。よって、負圧を形成するまでに時間がかかり、負圧形成前に、送風装置３によるエアカーテンを形成しても、無駄に送風装置３のエネルギーを消費するだけでなく、かえって、鍋７２などから発生する油煙等（汚染空気５０４）を拡散させてしまう可能性がある。
【００４０】
そこで、本実施形態では、図３に関して前述したように、排気送風システム１の運転の開始の指示を受けた際、排気装置２の運転が開始し、その後一定時間経過した後に送風装置３の運転が開始する構成にしている。
図１０に表したように、排気送風システム１の運転開始の指示を受け、排気装置２の運転が開始して一定時間経過した段階では、排気装置２の直下に負圧が形成される。かかる状況下において、送風装置３の運転を開始することにより、汚染空気５０４がスムーズに吸引口２０から吸引され、排気装置２により適切に排気される。また、必要最低限のエネルギーによる運転により、省エネを図ることもできる。
なお、図１０では吐出ファン３６を用いた送風装置３を例に取り上げたが、イオン風を用いた送風装置３を使用する場合でも同様に論じることができる。
【００４１】
このように、本実施形態によれば、吸引流Ｄによる負圧を形成した後に、送風装置３でエアカーテンを形成することにより、空間内の汚染空気５０４が適切に排気される。これにより、快適なキッチン・リビング空間が実現される。本実施形態に係る排気送風システム１は、キッチン空間やリビング空間の他、排気を必要とする作業に用いられる排気送風システムとしても用いることができる。
【００４２】
（他の具体例）
次に、本実施形態の他の具体例について、図１１〜図１４を参照しつつ説明する。
図１１は、本実施形態の他の構成を例示する流れ図である。
【００４３】
図１１に表したように、排気装置２の運転が開始してから、予め設定された所定時間が経過した後に送風装置３の運転を開始とすることができる。この所定時間は、図１において、排気装置２、送風装置３、及び調理器具７０の配置や、吐出流６０及び吸引流Ｄの風速などを勘案して適宜選択することができる。例えば、排気装置２の外周に送風装置３を設け、吸引口２０と調理器具７０上面との距離が１ｍ程度であり、調理器具７０近傍の吐出流６０の風速及び吸引流Ｄの風速が０．４〜０．５ｍ／秒程度であれば、２〜３秒以上とすることができる。この時間だけ経過すれば、吸引流Ｄによる負圧形成により、調理器具７０の上面近傍の気体は吸引口２０に達し、排気送風システム１の下方に存在する汚染空気５０４を確実に排気することができる。
【００４４】
次に、図１２は、本実施形態のさらに別の構成を例示する流れ図である。
また、図１３は、オゾンセンサの付設態様を例示する模式側面図である。
この構成においては、送風装置３にイオン風型の送風装置を用いる。この場合、排気送風システム１は、オゾンの濃度を検知するオゾン濃度検知手段（オゾンセンサ）４をさらに備えることができる。そして、オゾン濃度が所定濃度を超える場合、排気装置２の風量を増加する運転とすることができる。その際、風量が最大（強）となっている場合は、警告音を発令して、送風装置３を停止することができる。この所定濃度は、例えば０．０２ｐｐｍ程度とすることができる。
オゾンセンサ４は任意の場所に設けることができ、例えば図１３に表したように、排気装置２、送風装置３、調理器具７０等に設けることができる。
【００４５】
次に、図１４は、本実施形態のさらに別の構成を例示する模式断面図である。
先に運転を開始する排気装置２の風量に応じて、送風装置３は、吐出流６０の吐出方向を変化させることができる。
【００４６】
まず、図１４（ａ）に表したように、排気装置２の風量が多い場合、吐出流６０の吐出方向は、排気装置２から大きく離れる方向（角度θ=大）へ、吐出させることができる。一方、図１４（ｂ）に表したように、排気装置２の風量が少ない場合、吐出流６０の吐出方向は、鉛直下向きに近い方向（角度θ=小）へ、吐出させることができる。このように、排気装置２の風量に応じて、吐出流６０の吐出方向を変化させることにより、吐出流６０が吸引流Ｄに干渉しにくくなるため、吸引流Ｄの乱れを防止することができ、最適な排気を行うことができる。
【００４７】
また、先に運転を開始する排気装置２の風量に応じて、送風装置３は、吐出流６０の風速を変化させてもよい。すなわち、排気装置２の風量が多い場合、吐出流６０の風速を高くすることができる。一方、排気装置２の風量が少ない場合、吐出流６０の風速を低くすることができる。これにより、吐出流６０が吸引流Ｄに干渉しにくいため、吐出流６０の乱れを防止することができ、最適な排気を行うことができる。
もちろん、先に運転を開始する排気装置２の風量に応じて、吐出流６０の吐出方向と風速が両方とも連動すると、より好ましい。
【００４８】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４９】
１…排気送風システム
２…排気装置
３…送風装置
３Ａ…単位送風装置
３Ｂ…単位送風装置
４…オゾンセンサ（オゾン濃度検知手段）
１２…ケーシング
１２ａ…ケーシング下部
１２ｂ…ケーシング中間部
１２ｃ…ケーシング上部
１２ｄ…外周面
２０…吸引口
２２…吸引流路
２２ａ…側面
２２ｂ…隙間
２４…排気口
２６…排気ファン
３０…吐出口
３４…吸気口
３６…吐出ファン
３８…吐出流路
４８…整流板
５０…排気空間
５２…外部空間
６０…吐出流
７０…調理器具
７２…鍋
２０２…放電極
２０２ｐ…突起部
２０３…対向極
２１０…直流電源
５０４…汚染空気
Ａ…矢印
Ｂ…遮断流
Ｃ…誘導流
Ｄ…吸引流
Ｅ…矢印
Ｆ…矢印
Ｇ…上昇気流
Ｗ…外乱流
【図１】
2010190458.tif 000003
【図２】
2010190458.tif 000004
【図３】
2010190458.tif 000005
【図４】
2010190458.tif 000006
【図５】
2010190458.tif 000007
【図６】
2010190458.tif 000008
【図７】
2010190458.tif 000009
【図８】
2010190458.tif 000010
【図９】
2010190458.tif 000011
【図１０】
2010190458.tif 000012
【図１１】
2010190458.tif 000013
【図１２】
2010190458.tif 000014
【図１３】
2010190458.tif 000015
【図１４】
2010190458.tif 000016